(57)【要約】【課題】  ユーザが任意に設定することが可能な機能の設定を以前の状態に柔軟に復帰させることを可能とする。【解決手段】  機能の設定履歴を保存する設定履歴メモリ２０１と、所定の操作により指示された機能設定復帰条件に該当する設定履歴メモリ２０１の設定履歴を検索し、見つかった設定履歴に基づいて機能の設定を行う制御手段とを備える。【選択図】    図６
2005258894.tif 000002
【特許請求の範囲】
【請求項１】
ユーザ操作により任意に設定することが可能な機能を有するディジタル電子機器において、
前記機能の設定履歴を保存する設定履歴記憶手段と、
所定の操作により指示された機能設定復帰条件に該当する前記設定履歴記憶手段の設定履歴を検索し、見つかった設定履歴に基づいて前記機能の設定を行う制御手段と、
を備えたことを特徴とするディジタル電子機器。
【請求項２】
前記設定履歴は設定変更日時情報を含むことを特徴とする請求項１に記載のディジタル電子機器。
【請求項３】
前記設定履歴は機能グループ情報を含むことを特徴とする請求項１又は２に記載のディジタル電子機器。
【請求項４】
ユーザ操作により任意に設定することが可能な機能を有するディジタル電子機器における機能設定方法であって、前記ディジタル電子機器は制御手段と記憶手段とを備えており、
前記制御手段が、
前記機能の設定履歴を前記記憶手段に保存する過程と、
所定の操作により指示された機能設定復帰条件に該当する前記記憶手段の設定履歴を検索する過程と、
この検索により見つかった設定履歴に基づいて前記機能の設定を行う過程と、
を含むことを特徴とする機能設定方法。
【請求項５】
前記制御手段が、前記設定履歴に設定変更日時情報を含めることを特徴とする請求項４に記載の機能設定方法。
【請求項６】
前記制御手段が、前記設定履歴に機能グループ情報を含めることを特徴とする請求項４又は５に記載の機能設定方法。
【発明の詳細な説明】
【技術分野】
【０００１】
本発明は、ディジタル電子機器及び機能設定方法に関する。
【背景技術】
【０００２】
近年のディジタル電子機器はユーザニーズに応えるべく様々な機能を具備している。例えば、携帯電話機には無線電話機能の他、電子メール機能、ウェブ閲覧機能、電話帳機能、アラーム時計機能、スケジュール管理機能、ゲーム機能などを備えるものが実現されている。通常、これらの機能にはデフォルトの動作内容が設定されているが、ユーザ自身が自己の使い勝手がよくなるように各機能の動作内容を設定し直すことが行われる。この変更された機能設定データは機器内部のメモリに保存される。また、携帯端末が保持するデータを容易にバックアップするために、バッテリの残容量に応じて保持データを外部の記憶装置に格納する技術が知られている（例えば、特許文献１参照）。このバックアップ技術によれば、バッテリの残容量が少なくなったときに自動的に機能設定データを一括してバックアップすることができる。そして、ユーザは、バックアップデータをダウンロードすることにより、携帯端末の機能をバックアップ当時の状態に復帰させることができる。
【特許文献１】特開２００３−４７０５８号公報
【発明の開示】
【発明が解決しようとする課題】
【０００３】
しかし、上述した従来の技術では、機器の全機能をバックアップ当時の状態に一括復帰させる場合には便利であるが、ある機能に限定して以前の状態に復帰させたり、或いは任意の過去の期日の状態に復帰させることはできず、柔軟性に欠けるという問題がある。
【０００４】
本発明は、このような事情を考慮してなされたもので、その目的は、ユーザが任意に設定することが可能な機能の設定を以前の状態に柔軟に復帰させることができるディジタル電子機器及び機能設定方法を提供することにある。
【課題を解決するための手段】
【０００５】
上記の課題を解決するために、本発明に係るディジタル電子機器は、ユーザ操作により任意に設定することが可能な機能を有するディジタル電子機器において、前記機能の設定履歴を保存する設定履歴記憶手段と、所定の操作により指示された機能設定復帰条件に該当する前記設定履歴記憶手段の設定履歴を検索し、見つかった設定履歴に基づいて前記機能の設定を行う制御手段とを備えたことを特徴としている。
【０００６】
本発明に係るディジタル電子機器においては、前記設定履歴は設定変更日時情報を含むことを特徴とする。
【０００７】
本発明に係るディジタル電子機器においては、前記設定履歴は機能グループ情報を含むことを特徴とする。
【０００８】
本発明に係る機能設定方法は、ユーザ操作により任意に設定することが可能な機能を有するディジタル電子機器における機能設定方法であって、前記ディジタル電子機器は制御手段と記憶手段とを備えており、前記制御手段が、前記機能の設定履歴を前記記憶手段に保存する過程と、所定の操作により指示された機能設定復帰条件に該当する前記記憶手段の設定履歴を検索する過程と、この検索により見つかった設定履歴に基づいて前記機能の設定を行う過程とを含むことを特徴としている。
【０００９】
本発明に係る機能設定方法においては、前記制御手段が、前記設定履歴に設定変更日時情報を含めることを特徴とする。
【００１０】
本発明に係る機能設定方法においては、前記制御手段が、前記設定履歴に機能グループ情報を含めることを特徴とする。
【発明の効果】
【００１１】
本発明によれば、ユーザが任意に設定することが可能な機能に関し、ユーザ指定の機能設定復帰条件に従って該当する機能の設定が以前の状態に復帰されるので、機能設定復帰の柔軟性が向上する。
【発明を実施するための最良の形態】
【００１２】
以下、図面を参照し、本発明の一実施形態について説明する。本実施形態においては、ディジタル電子機器の具体的な例として、携帯電話機を挙げて説明する。
図１は、本発明の一実施形態に係る携帯電話機１（ディジタル電子機器）の構成を示すブロック図である。図１において、制御部１１は、ＣＰＵ、メモリ等から構成されており、携帯端末１の各部を制御する。操作部１２は、電話番号等の入力用のテンキー、各種ファンクションキー等を有し、入力されたデータを制御部１１へ出力する。表示部１３は、液晶表示パネル等のカラー表示パネルと表示制御回路を有する。表示部１３には、制御部１１から表示データが入力される。
【００１３】
無線部１４は、アンテナ１５を介して基地局との間で無線信号を送受信し、音声通話又はデータ通信を行う。音声制御部１６は、無線部１４を介して送受される音声を処理する。マイク１７は、制御部１１を介して音声制御部１６に音声を入力する。スピーカ１８は、音声制御部１６により処理された通話音声等を制御部１１を介して受け取り出力する。記憶部２０は、制御部１１により使用される各種のデータを記憶する。
【００１４】
また、制御部１１は、電子メール機能、ウェブ閲覧機能、電話帳機能、アラーム時計機能、スケジュール管理機能、ゲーム機能などを備えている。また、制御部１１は、ユーザによる設定が可能な機能に関し、ユーザ操作に基づいて該当する機能の動作内容を設定する。また、この設定履歴を管理する。
記憶部２０には、ユーザによる設定が可能な機能に関し、現在の設定内容（機能設定データ）及び設定履歴が保存される。制御部１１は、機能設定データに基づいて当該機能の動作を行う。
【００１５】
次に、上記図１の携帯電話機１の機能設定に係る動作を説明する。
初めに、図２を参照して、ユーザによる機能設定時の動作を説明する。図２は、本実施形態に係る機能設定処理の流れを示すフローチャートである。なお、この実施例ではアラーム時計機能を例に挙げて説明するが、他の機能についても同様である。
【００１６】
記憶部２０は、例えば図４に示される設定履歴メモリ２０１とアラーム情報設定メモリ２１０とを有する。設定履歴メモリ２０１は、ユーザによる設定が可能な機能の設定履歴を記憶する。アラーム情報設定メモリ２１０は、アラーム時計機能の機能設定データを記憶するものであり、この例では５種類のアラーム設定情報を記憶することができる。そして、各アラーム設定情報はアラームのＯＮ／ＯＦＦ及びアラーム発生時刻を含む。図４の例では、アラーム２の設定情報が、７時００分にアラームが発生するように設定されている。
また、図４に示される設定履歴メモリ２０１は空の状態である。
【００１７】
図２において、ユーザによる機能設定の操作があると（ステップＳ１０１）、制御部１１は当該操作の完了まで待つ（ステップＳ１０２）。ここで、制御部１１は、当該操作に基づいた機能設定内容を一時的にメモリに保存する。
【００１８】
次いで、制御部１１は、記憶部２０２に保存される機能設定データを参照し、当該操作により機能設定内容が変更されたか否かを判断する（ステップＳ１０３）。この判断の結果、設定変更ありの場合（ステップＳ１０３、ＮＯ）、制御部１１は、設定履歴メモリ２０１に当該設定履歴を新規保存するための空き容量があるか否かを判断する（ステップＳ１０４）。ここで、空き容量がない場合（ステップＳ１０４、ＮＯ）、制御部１１は、設定履歴メモリ２０１内の過去の古い設定内容（例えば設定変更日が最も古い履歴）を消去する（ステップＳ１０５）。この消去は、新規保存用の空き容量が確保されるまで続ける。
【００１９】
次いで、新規保存用の空き容量が確保された場合（ステップＳ１０４、ＹＥＳ）、制御部１１は、当該設定変更機能の現在の機能設定データを記憶部２０から読み出し、現在の日時情報及び当該機能グループ名とともに設定履歴メモリ２０１に保存する（ステップＳ１０６）。次いで、制御部１１は、一時的にメモリに保存しておいた今回の機能設定内容に従って、記憶部２０の該当する機能設定データを更新する（ステップＳ１０７）。
【００２０】
例えば、図５に示されるように、アラーム２のアラーム発生時刻が、１月１日の０時１０分に、図４の７時００分から８時００分に設定変更された場合、制御部１１は、アラーム情報設定メモリ２１０から、設定変更前のアラーム２のアラーム設定情報（ＯＮ、７時００分）を読み出して、設定履歴メモリ２０１の空き領域に書き込む。さらに、この書き込んだアラーム設定情報に関連付けて機能グループ名（アラーム２）を設定履歴メモリ２０１の空き領域に書き込む。さらに、同様に関連付けて現在日時（１月１日、０時１０分）を、設定変更日時として設定履歴メモリ２０１の空き領域に書き込む。次いで、制御部１１は、メモリに保存されている今回の機能設定内容に従って、アラーム情報設定メモリ２１０のアラーム２のアラーム設定情報を更新する（アラーム発生時刻を８時００分に変更する）。これにより、今回の機能設定内容（アラーム発生時刻の変更）が携帯電話機１の動作（アラーム発生動作）に反映される。
【００２１】
図２に戻り、上記ステップＳ１０３の判断の結果、設定変更ありの場合（ステップＳ１０３、ＹＥＳ）、制御部１１は、設定履歴メモリ２０１を参照し、今回の機能設定内容と同じものが既に設定履歴メモリ２０１に保存されているか否かを判断する（ステップＳ１０８）。この判断の結果、同じものがなければ上記ステップＳ１０４へ進む（ステップＳ１０８、ＮＯ）。一方、同じものがあった場合には（ステップＳ１０８、ＹＥＳ）、制御部１１は、設定履歴メモリ２０１の当該履歴の設定変更日時を現在日時に更新する（ステップＳ１０９）。次いで、上記ステップＳ１０７へ進む。
【００２２】
次に、図３を参照して、ユーザによる機能設定復帰時の動作を説明する。図３は、本実施形態に係る機能設定復帰処理の流れを示すフローチャートである。なお、この実施例では上記機能設定時と同様に、アラーム時計機能を例に挙げて説明するが、他の機能についても同様である。
【００２３】
図３において、ユーザによる機能設定復帰の操作があると（ステップＳ２０１）、制御部１１は当該操作の完了まで待つ（ステップＳ２０２）。ここで、制御部１１は、当該操作に基づいた機能設定復帰内容を一時的にメモリに保存する。
【００２４】
次いで、制御部１１は、今回の機能設定復帰内容が、日時を指定して機能設定を復帰させるものであるか否かを判断する（ステップＳ２０３）。この判断の結果、日時指定による復帰の場合（ステップＳ２０３、ＹＥＳ）、制御部１１は、設定履歴メモリ２０１から当該指定日時から以降の設定履歴を検索し、該当する設定履歴を全て読み出すとともに設定履歴メモリ２０１から消去する。ここでは機能グループ名は区別せず、全機能グループが対象である。そして、読み出した設定履歴に基づいて記憶部２０の該当する機能設定データを更新する（ステップＳ２０４）。但し、同一機能グループ名の設定履歴が複数読み出された場合には、それら読み出された同一機能グループ名の設定履歴のうち、最古の設定履歴を使用して当該機能設定データを更新する。
【００２５】
例えば、図６に示されるように、上記図５の状態から、１月１日の０時２０分に、アラーム２のアラーム発生時刻が図５の８時００分から９時００分に設定変更されており、この結果、設定履歴メモリ２０１には１月１日、０時１０分の設定履歴と１月１日、０時２０分の設定履歴とが保存されている。この状態で、ユーザが１月１日の０時１０分を指定して機能設定を元に戻す操作を行うと、制御部１１は、設定履歴メモリ２０１から、１月１日、０時１０分と１月１日、０時２０分との２つの設定履歴を読み出すとともに消去する。ここで、制御部１１は、それら読み出した２つの設定履歴が共にアラーム２のものなので、より古い方の１月１日、０時１０分の設定履歴のアラーム設定情報（ＯＮ、７時００分）をアラーム情報設定メモリ２１０のアラーム２のアラーム設定情報に書き込む。
【００２６】
図２に戻り、制御部１１は、現在の機能設定内容を現在時刻及び機能グループ名とともに設定履歴メモリ２０１に保存する（ステップＳ２０８）。次いで、現在の機能設定内容に従って動作を開始する（ステップＳ２０９）。
【００２７】
また、上記ステップＳ２０３の判断の結果、日時指定による復帰ではない場合（ステップＳ２０３、ＮＯ）、制御部１１は、今回の機能設定復帰内容が、機能グループを指定して機能設定を復帰させるものであるか否かを判断する（ステップＳ２０５）。この判断の結果、機能グループ指定による復帰の場合（ステップＳ２０５、ＹＥＳ）、制御部１１は、設定履歴メモリ２０１から当該指定機能グループ名の設定履歴を検索し、該当する設定履歴を読み出すとともに設定履歴メモリ２０１から消去する。そして、読み出した設定履歴に基づいて記憶部２０の該当する機能設定データを更新する（ステップＳ２０６）。但し、指定機能グループ名の設定履歴が複数読み出された場合には、最新の設定履歴を使用して当該機能設定データを更新する。次いで、上記ステップＳ２０８へ進む。
【００２８】
また、上記ステップＳ２０５の判断の結果、機能グループ指定による復帰ではない場合（ステップＳ２０５、ＮＯ）、制御部１１は、設定履歴メモリ２０１から設定変更日時が最新の設定履歴を検索し、該当する設定履歴を読み出すとともに設定履歴メモリ２０１から消去する。ここでは機能グループ名は区別せず、全機能グループが対象である。そして、読み出した設定履歴に基づいて記憶部２０の該当する機能設定データを更新する（ステップＳ２０７）。次いで、上記ステップＳ２０８へ進む。
【００２９】
上述した実施形態によれば、ユーザが任意に設定することが可能な機能に関し、ある機能に限定して以前の状態に復帰させたり、或いは任意の過去の期日の状態に復帰させることが可能となり、機能設定復帰の柔軟性が向上する。
【００３０】
これにより、不慣れな者が誤って設定変更してしまった場合に、当該機能のみを簡単に元の状態に戻すことができる。また、設定を一時的に変えておき後で元の状態に戻すことや、他人に貸し出して返却されたときに貸し出し当時の状態に機器の設定を戻すことなども、容易に行うことができる。
【００３１】
以上、本発明の実施形態を図面を参照して詳述してきたが、具体的な構成はこの実施形態に限られるものではなく、本発明の要旨を逸脱しない範囲の設計変更等も含まれる。
例えば、機能設定変更の禁止を設定できるようにして、機能設定状態を保護するようにしてもよい。
【００３２】
また、本発明のディジタル電子機器としては、上述した携帯電話機のほか、ＰＤＡ（Personal Digital Assistants：個人用情報機器）と称される携帯型の端末、コンピュータゲーム機器、コンピュータ制御の家電機器なども含むものとする。
【図面の簡単な説明】
【００３３】
【図１】本発明の一実施形態に係る携帯電話機１（ディジタル電子機器）の構成を示すブロック図である。
【図２】同実施形態に係る機能設定処理の流れを示すフローチャートである。
【図３】同実施形態に係る機能設定復帰処理の流れを示すフローチャートである。
【図４】同実施形態に係る設定履歴メモリ２０１の構成例を示す第１の図である。
【図５】同実施形態に係る設定履歴メモリ２０１の構成例を示す第２の図である。
【図６】同実施形態に係る機能設定復帰動作を説明するための図である。
【符号の説明】
【００３４】
１…携帯電話機（ディジタル電子機器）、１１…制御部、１２…操作部、１３…表示部、１４…無線部、１５…アンテナ、１６…音声制御部、１７…マイク、１８…スピーカ、２０…記憶部、２０１…設定履歴メモリ。
【図１】
2005258894.tif 000003
【図２】
2005258894.tif 000004
【図３】
2005258894.tif 000005
【図４】
2005258894.tif 000006
【図５】
2005258894.tif 000007
【図６】
2005258894.tif 000008